(57)【要約】【課題】従来の太陽光エネルギーによる照射を利用する手段は、例えば、集光機と光ファイバーを利用した構造であって、例えば、室内の照明の補助光量とする例とか、植物の栽培として活用する例が知られており、実施かつ一部での利用が図られている。しかし、光量の確保が困難であり、その利用が一部の範囲に留まっているのが現況である。その活用が望まれている。【構成】本発明は、太陽光集光機と、集光機に基端部を接続した一本又は複数本の光ファイバーケーブルと、光ファイバーケーブルの自由端部に分散レンズ、プリズム等のクリスタルを拡散して設けた太陽光エネルギー照射ケースで構成した太陽光エネルギー及びプリズムによる照射式の健康器具であり、健康に役立つ発明である。【選択図】図１
2009289688.tif 000002
【特許請求の範囲】
【請求項１】
太陽光集光機と、この集光機に基端部を接続した一本又は複数本の光ファイバーケーブルと、この光ファイバーケーブルの自由端部に分散レンズ、プリズム等のクリスタルを拡散して設けた太陽光エネルギー照射ケースで構成した太陽光エネルギー及びプリズムによる照射式の健康器具。
【請求項２】
太陽光集光機と、この集光機に基端部を接続した一本又は複数本の光ファイバーケーブルと、この光ファイバーケーブルの自由端部に分散レンズ、プリズム等のクリスタルを拡散、かつランダムに重畳して設けた太陽光エネルギー照射ケースで構成した太陽光エネルギー及びプリズムによる照射式の健康器具。
【請求項３】
請求項１、又は請求項２に記載の太陽光エネルギー及びプリズムによる照射式の健康器具であって、
前記太陽光エネルギー照射ケースは、頭截角錐形状とし、広角範囲に、太陽光エネルギー照射を図る構成とした太陽光エネルギー及びプリズムによる照射式の健康器具。
【請求項４】
請求項１、又は請求項２に記載の太陽光エネルギー及びプリズムによる照射式の健康器具であって、
前記太陽光エネルギー照射ケースは、頭截円錐形状とし、狭角範囲に、太陽光エネルギー照射を図る構成とした太陽光エネルギー及びプリズムによる照射式の健康器具。
【請求項５】
請求項１、又は請求項２に記載の太陽光エネルギー及びプリズムによる照射式の健康器具であって、
前記太陽光エネルギー照射ケースは、クリスタルを拡散して、重畳する際に、このクリスタルを細かく破砕し、このクリスタルを通した太陽光エネルギーを、重畳して照射する構成とした太陽光エネルギー及びプリズムによる照射式の健康器具。
【発明の詳細な説明】
【技術分野】
【０００１】
本発明は、太陽光エネルギー及びプリズムによる照射式の健康器具に関する。
【背景技術】
【０００２】
この太陽光エネルギーによる照射を利用する手段として、集光機と光ファイバーを利用した構造であって、例えば、室内の照明の補助光量とする例や、植物の栽培として活用する例が知られており、実施、又はその一部が利用されている。しかし、光量の確保が困難であり、その利用が一部の範囲に留まっているのが現況である。
【０００３】
そして、前述の太陽光エネルギーによる照射を利用する手段を更に進化させ、集光機と光ファイバー、並びにプリズムを利用した構造としては、次に挙げる文献がある。
【０００４】
文献（１）は、特開平２−１８７５６３号の「太陽光利用設備」であり、この発明は、集光装置と、この集光装置に接続した光ファイバーケーブル（光ファイバー）、並びに光りの方向を変更する分岐部（プリズム）を設ける構造であり、この光りを室内の照明装置、温水器等に利用することを特徴とする。
【０００５】
文献（２）は、特開平６−１１１６１０号の「太陽光採光装置」であり、この発明は、太陽光を効率的に集光するためにプリズムを採用する採光部と、この採光部に接続した自然電力を蓄電する太陽電池、又は蓄電装置で構成し、太陽光を使用する室内照明用自然光照明手段の光照射部に光りを送光することを意図し、前述の文献（１）と同様の効果を達成する。
【０００６】
また文献（３）は、特開２００６−２９２７０９の「物体の評価方法および評価装置」であり、この発明は、ゲル状、ゾル状の物体にコヒーレントな光を照射する太陽光等の光源と、この光の結像面における光強度分布を断続的に、又は連続的に測定するセンシング手段と、このセンシング手段から出力された測定時刻の異なる２以上の光強度分布信号を比較・演算して光強度分布の時間的な変動を求め、光強度分布の時間的な変動に基づいて物体のゲル状態、又はゾル状態、或いはゾル−ゲル状態変化を評価する信号処理装置で構成し、ゲル状態やゾル状態を、非破壊かつ非接触により、迅速かつ高精度に評価することを意図する。
【０００７】
【特許文献１】特開平２−１８７５６３号
【特許文献２】特開平６−１１１６１０号
【特許文献３】特開２００６−２９２７０９
【発明の開示】
【発明が解決しようとする課題】
【０００８】
前記文献（１）〜（３）は、従来の考え方の延長線上で、太陽光を有効利用すること、又はＣＯ２の削減化を意図すること、合理化等を図ること等を意図する。従って、太陽光を一面的に利用するに留まり、充分でないと考えられる。そして、また、この文献（１）〜（３）は、プリズムの特徴と、このプリズムの分光及び／又は光の分散（拡散）、並びにこの分光等が重畳されることによる効果を利用することを意図しないので、その改良の余地が考えられる。
【０００９】
上記に鑑み、本発明は、次の効果を達成することを意図する。
（１）  プリズムの特徴と、このプリズムの分光及び／又は光の分散（拡散）、並びにこの分光等が重畳されることによる効果を、有効利用する。
（２）  プリズムによる分光処理を、拡充かつ重畳し、太陽光の光量を拡充する。
（３）  プリズムによる分光を、拡散及び／又は重畳することで、太陽光エネルギー照射効率を確保する。
（４）  太陽光エネルギー照射を介して、生物及び植物の健康維持と、疾病の治癒を図る。
（５）  太陽光エネルギー照射を介して、生物及び植物の生育維持と、疾病の回復効果を図る。
【課題を解決するための手段】
【００１０】
請求項１の発明は、前記（１）、（３）〜（５）の効果を達成することを意図する。
【００１１】
請求項１は、太陽光集光機と、この集光機に基端部を接続した一本又は複数本の光ファイバーケーブルと、この光ファイバーケーブルの自由端部に分散レンズ、プリズム等のクリスタルを拡散して設けた太陽光エネルギー照射ケースで構成した太陽光エネルギー及びプリズムによる照射式の健康器具である。
【００１２】
請求項２の発明は、前記（１）〜（５）の効果を達成することを意図する。
【００１３】
請求項２は、太陽光集光機と、この集光機に基端部を接続した一本又は複数本の光ファイバーケーブルと、この光ファイバーケーブルの自由端部に分散レンズ、プリズム等のクリスタルを拡散、かつランダムに重畳して設けた太陽光エネルギー照射ケースで構成した太陽光エネルギー及びプリズムによる照射式の健康器具である。
【００１４】
請求項３の発明は、請求項１、又は請求項２の目的を達成すること、この目的を達成するのに最適な、広域的（広域方式）な太陽光エネルギー照射ケースを提供することを意図する。
【００１５】
請求項３は、請求項１、又は請求項２に記載の太陽光エネルギー及びプリズムによる照射式の健康器具であって、
前記太陽光エネルギー照射ケースは、頭截角錐形状とし、広角範囲に、太陽光エネルギー照射を図る構成とした太陽光エネルギー及びプリズムによる照射式の健康器具である。
【００１６】
請求項４の発明は、請求項１、又は請求項２の目的を達成すること、この目的を達成するのに最適な、スポット的（スポット方式）な太陽光エネルギー照射ケースを提供することを意図する。
【００１７】
請求項４は、請求項１、又は請求項２に記載の太陽光エネルギー及びプリズムによる照射式の健康器具であって、
前記太陽光エネルギー照射ケースは、頭截円錐形状とし、狭角範囲に、太陽光エネルギー照射を図る構成とした太陽光エネルギー及びプリズムによる照射式の健康器具である。
【００１８】
請求項５の発明は、請求項１、又は請求項２の目的を達成すること、この目的を達成するのに最適な、太陽光エネルギー照射ケースに収容するクリスタルの構造を提供することを意図する。
【００１９】
請求項５は、請求項１、又は請求項２に記載の太陽光エネルギー及びプリズムによる照射式の健康器具であって、
前記太陽光エネルギー照射ケースは、クリスタルを拡散して、重畳する際に、このクリスタルを細かく破砕し、このクリスタルを通した太陽光エネルギーを、重畳して照射する構成とした太陽光エネルギー及びプリズムによる照射式の健康器具である。
【発明の効果】
【００２０】
請求項１の発明は、太陽光集光機と、集光機に基端部を接続した一本又は複数本の光ファイバーケーブルと、光ファイバーケーブルの自由端部に分散レンズ、プリズム等のクリスタルを拡散して設けた太陽光エネルギー照射ケースで構成した太陽光エネルギー及びプリズムによる照射式の健康器具である。
【００２１】
従って、請求項１は、下記の特徴を有する。
（１）  プリズムの特徴と、このプリズムの分光及び／又は光の分散（拡散）、並びにこの分光等が重畳されることによる効果を、有効利用できる。
（３）  プリズムによる分光を、拡散及び／又は重畳することで、太陽光エネルギー照射効率を確保できる。
（４）  太陽光エネルギー照射を介して、生物及び植物の健康維持と、疾病の治癒が図れる。
（５）  太陽光エネルギー照射を介して、生物及び植物の生育維持と、疾病の回復効果が図れる。
【００２２】
請求項２の発明は、太陽光集光機と、集光機に基端部を接続した一本又は複数本の光ファイバーケーブルと、光ファイバーケーブルの自由端部に分散レンズ、プリズム等のクリスタルを拡散、かつランダムに重畳して設けた太陽光エネルギー照射ケースで構成した太陽光エネルギー及びプリズムによる照射式の健康器具である。
【００２３】
従って、請求項２は、下記の特徴を有する。
（１）  プリズムの特徴と、このプリズムの分光及び／又は光の分散（拡散）、並びにこの分光等が重畳されることによる効果を、有効利用できる。
（２）  プリズムによる分光処理を、拡充かつ重畳し、太陽光の光量を拡充できる。
（３）  プリズムによる分光を、拡散及び／又は重畳することで、太陽光エネルギー照射効率を確保できる。
（４）  太陽光エネルギー照射を介して、生物及び植物の健康維持と、疾病の治癒が図れる。
（５）  太陽光エネルギー照射を介して、生物及び植物の生育維持と、疾病の回復効果が図れる。
【００２４】
請求項３の発明は、請求項１、又は請求項２に記載の太陽光エネルギー及びプリズムによる照射式の健康器具であって、
太陽光エネルギー照射ケースは、頭截角錐形状とし、広角範囲に、太陽光エネルギー照射を図る構成とした太陽光エネルギー及びプリズムによる照射式の健康器具である。
【００２５】
従って、請求項３は、請求項１、又は請求項２の目的を達成できること、この目的を達成するのに最適な、広域的な太陽光エネルギー照射ケースを提供できること等の特徴を有する。
【００２６】
請求項４の発明は、請求項１、又は請求項２に記載の太陽光エネルギー及びプリズムによる照射式の健康器具であって、
太陽光エネルギー照射ケースは、頭截円錐形状とし、狭角範囲に、太陽光エネルギー照射を図る構成とした太陽光エネルギー及びプリズムによる照射式の健康器具である。
【００２７】
従って、請求項４は、請求項１、又は請求項２の目的を達成できること、この目的を達成するのに最適な、スポット的な太陽光エネルギー照射ケースを提供できること等の特徴を有する。
【００２８】
請求項５の発明は、請求項１、又は請求項２に記載の太陽光エネルギー及びプリズムによる照射式の健康器具であって、
太陽光エネルギー照射ケースは、クリスタルを拡散して、重畳する際に、このクリスタルを細かく破砕し、このクリスタルを通した太陽光エネルギーを、重畳して照射する構成とした太陽光エネルギー及びプリズムによる照射式の健康器具である。
【００２９】
従って、請求項５は、請求項１、又は請求項２の目的を達成できること、この目的を達成するのに最適な、太陽光エネルギー照射ケースに収容するクリスタルの構造を提供できること等の特徴を有する。
【発明を実施するための最良の形態】
【００３０】
本発明の一例を説明する。
【００３１】
図中１は集光機で、この集光機１は太陽の動きに追従し、太陽光を、効率的、かつ適確に集光可能とする。そして、この集光機１には、一本又は複数本の光ファイバーケーブル２の基端部が接続される。図中１００は集光機１のベースを示す。
【００３２】
この光ファイバーケーブル２の自由端部には、連結具３を介して、分散レンズ、プリズム等のクリスタル４を拡散、かつランダムに重畳して設けた太陽光エネルギー照射ケース５が設けられている。この太陽光エネルギー照射ケース５は、図１に示した、頭截角錐形状５００とし、広角範囲に、太陽光エネルギー照射を図る構成と、図３に示した、頭截円錐形状５０１とし、狭角範囲に、太陽光エネルギー照射を図る構成、等が考えられる。しかし、一例であり、この太陽光エネルギー照射ケース５は、太陽光エネルギー照射を図る部位及び／又は照射程度、疾病・生育・緊急の程度、又は希望により、変更されることから、この太陽光エネルギー照射ケース５の形状及び／又は大きさは適宜変更される。また、前記連結具３を介して、太陽光エネルギー照射ケース５を簡易に着脱できる構造が望ましい。またこの連結具３は必要により設けられる。
【００３３】
そして、この太陽光エネルギー照射ケース５には、クリスタル４を、拡散及び／又はランダムに重畳して設けることで、図２−１・図２−２に示すように、幾重にも照射することで、前述した、太陽光エネルギーＡの照射をする部位及び／又は照射程度の変更、疾病・生育・緊急の程度を変更すること、又は希望により、幾重にも変更されることから、大変重宝することと、この太陽光エネルギーＡを充分に活用できる。尚、前述の如く、太陽光エネルギーＡを幾重にも照射することが望ましい。しかし、図示しないが、クリスタル４を、拡散かつ一枚構造とし、一点かつ瞬時に照射することも可能であり、原則として、時宜により選択され、最適な照射が図れる構造である。
【００３４】
また、太陽光エネルギー照射ケース５を旋回（回転）、上下移動等の可動式とし、被照射体に対して、最適化することも可能である。そして、この可動を自動制御すること、間欠可動すること等の如く、多面的な使用が可能である。
【００３５】
そして、図示しないが、太陽光エネルギー照射ケース５に、拡散用のカバーを設け、拡散の範囲をより拡充する構造も採用可能である。さらに、この太陽光エネルギー照射ケース５に、遮蔽部材をセツトし、照射範囲の特定及び／又は一部の遮蔽等の方法を採用し、被照射体の所定箇所に、集中的に照射すること、不要な所定箇所に、照射しないことで、差別化が図れる有益性と、特性を発揮できる。
【００３６】
そして、本発明の特徴とするところは、クリスタル４（プリズム）で分光した光りの中で、健康（疾病の治癒・健康維持・殺菌「除菌」）、育成に良い波長及び／又は色を選択し、この波長及び／又は色を照射することで、例えば、血流の促進、細胞の活発化、又は新陳代謝の促進、また、免疫機能の維持かつ拡充を図って健康を維持すること、また、ビタミンＤが不足する深夜作業者、事務職、地中作業者、入院患者等に役立ち、もって健康維持に役立つこと、又は植物、家畜等の育成効果を拡充できること等の特徴がある、そして、また、前記この波長及び／又は色のパターンを選択及び／又は色のパターンを重畳することで、前記効果を拡充できること、又はこれらの実益性の向上に有効であること等の特性を有する。さらに、この布団、衣服、家具、衛生器具又は室内等の乾燥及び／又は殺菌効果の達成及び／又は拡充を図ることも可能であり有益である。
【図面の簡単な説明】
【００３７】
【図１】太陽光エネルギー照射ケースを、頭截角錐形状とし、広角範囲に、太陽光エネルギー照射を図る構成を示した概念図
【図２−１】太陽光エネルギー照射ケースを、拡散及び／又はランダムに重畳し、幾重にも照射すること平面視して示した概念図
【図２−２】太陽光エネルギー照射ケースを、拡散及び／又はランダムに重畳し、幾重にも照射すること側面視して示した概念図頭截角錐形状とし、広角範囲に、太陽光エネルギー照射を図る構成を示した概念図
【図３】太陽光エネルギー照射ケースを、頭截円錐形状とし、広角範囲に、太陽光エネルギー照射を図る構成を示した概念図
【符号の説明】
【００３８】
１              集光機
１００          ベース
２              光ファイバーケーブル
３              連結具
４              クリスタル
５              太陽光エネルギー照射ケース
５００          頭截角錐形状
５０１          頭截円錐形状
Ａ              太陽光エネルギー
【図１】
2009289688.tif 000003
【図２−１】
2009289688.tif 000004
【図２−２】
2009289688.tif 000005
【図３】
2009289688.tif 000006